【手続補正書】
【提出日】平成18年2月3日(2006.2.3)
【手続補正１】
【補正対象書類名】特許請求の範囲
【補正対象項目名】全文
【補正方法】変更
【補正の内容】
【特許請求の範囲】
【請求項１】
印刷データを生成し、当該生成された印刷データを印刷装置に対して送信するホストコンピュータとしての印刷制御装置であって、
印刷モードが白黒モードであるか判定する第１の判定手段と、
地紋画像の色指定がカラー指定であるか判定する第２の判定手段と、
前記第１の判定手段で印刷モードが白黒モードであると判定され、かつ、前記第２の判定手段で地紋画像の色指定がカラー指定であると判定された場合に、前記カラー指定された地紋画像に基づいて、白黒二値の地紋画像を生成する地紋画像生成手段とを備えることを特徴とする印刷制御装置。
【請求項２】
前記白黒二値の地紋画像は、黒濃度０％と黒濃度１００％で表現される画像であることを特徴とする請求項１に記載の印刷制御装置。
【請求項３】
前記地紋画像生成手段で生成された地紋画像の印刷データを生成する印刷データ生成手段をさらに備えることを特徴とする請求項１又は２に記載の印刷制御装置。
【請求項４】
前記第１の判定手段で印刷モードが白黒モードであると判定され、かつ、ウォーターマークの色指定がカラー指定である場合に、前記ウォーターマークの色指定に基づいて、グレースケールのウォーターマークを生成するウォーターマーク生成手段をさらに備えることを特徴とする請求項１乃至３のいずれか１項に記載の印刷制御装置。
【請求項５】
前記ウォーターマーク生成手段は、前記グレースケールのウォーターマークを生成するために、前記ウォーターマークの色指定に基づくカラー情報をグレースケール値に変換することを特徴とする請求項４に記載の印刷制御装置。
【請求項６】
前記地紋画像生成手段で生成された地紋画像の印刷データを生成し、
前記ウォーターマーク生成手段で生成されたウォーターマークの印刷データを生成する印刷データ生成手段をさらに備えることを特徴とする請求項４又は５に記載の印刷制御装置。
【請求項７】
色指定が白黒指定である場合の地紋画像を生成するための濃度パラメータは予め保持されており、
前記地紋画像生成手段は、
前記第１の判定手段で印刷モードが白黒モードであると判定され、かつ、前記第２の判定手段で地紋画像の色指定がカラー指定であると判定された場合に、前記カラー指定された地紋画像の濃度パラメータを、前記予め保持された濃度パラメータに置き換える置き換え手段と、
前記置き換え手段で置き換えられた濃度パラメータを用いて、白黒二値の地紋画像を生成する生成手段とを有することを特徴とする請求項１乃至６の何れか１項に記載の印刷制御装置。
【請求項８】
前記地紋画像は、潜像部と背景部とを有する画像であって、
前記地紋画像の濃度パラメータは、前記潜像部と前記背景部の濃度パラメータであることを特徴とする請求項７に記載の印刷制御装置。
【請求項９】
印刷データを生成し、当該生成された印刷データを印刷装置に対して送信するホストコンピュータが実行する印刷制御方法であって、
前記ホストコンピュータの第１の判定手段において印刷モードが白黒モードであるか判定する第１の判定ステップと、
前記ホストコンピュータの第２の判定手段において地紋画像の色指定がカラー指定であるか判定する第２の判定ステップと、
前記第１の判定ステップで印刷モードが白黒モードであると判定され、かつ、前記第２の判定ステップで地紋画像の色指定がカラー指定であると判定された場合に、前記カラー指定された地紋画像に基づいて、白黒二値の地紋画像を生成する地紋画像生成ステップとを有することを特徴とする印刷制御方法。
【請求項１０】
前記白黒二値の地紋画像は、黒濃度０％と黒濃度１００％で表現される画像であることを特徴とする請求項９に記載の印刷制御方法。
【請求項１１】
前記ホストコンピュータの生成手段において、前記地紋画像生成ステップで生成された地紋画像の印刷データを生成する印刷データ生成ステップをさらに有することを特徴とする請求項９又は１０に記載の印刷制御方法。
【請求項１２】
前記第１の判定ステップで印刷モードが白黒モードであると判定され、かつ、ウォーターマークの色指定がカラー指定である場合に、前記ホストコンピュータのウォーターマーク生成手段において、前記ウォーターマークの色指定に基づいて、グレースケールのウォーターマークを生成するウォーターマーク生成ステップをさらに有することを特徴とする請求項９乃至１１のいずれか１項に記載の印刷制御方法。
【請求項１３】
前記ウォーターマーク生成ステップにおいて、前記グレースケールのウォーターマークを生成するために、前記ウォーターマークの色指定に基づくカラー情報をグレースケール値に変換することを特徴とする請求項１２に記載の印刷制御方法。
【請求項１４】
前記ホストコンピュータの印刷データ生成手段において、前記地紋画像生成手段で生成された地紋画像の印刷データを生成し、
前記ウォーターマーク生成ステップで生成されたウォーターマークの印刷データを生成する印刷データ生成ステップをさらに有することを特徴とする請求項１２又は１３に記載の印刷制御方法。
【請求項１５】
色指定が白黒指定である場合の地紋画像を生成するための濃度パラメータは予め保持されており、
前記地紋画像生成ステップは、
前記第１の判定ステップで印刷モードが白黒モードであると判定され、かつ、前記第２の判定ステップで地紋画像の色指定がカラー指定であると判定された場合に、前記カラー指定された地紋画像の濃度パラメータを、前記予め保持された濃度パラメータに置き換える置き換えステップと、
前記置き換えステップで置き換えられた濃度パラメータを用いて、白黒二値の地紋画像を生成する生成ステップとを有することを特徴とする請求項９乃至１４の何れか１項に記載の印刷制御方法。
【請求項１６】
前記地紋画像は、潜像部と背景部とを有する画像であって、
前記地紋画像の濃度パラメータは、前記潜像部と前記背景部の濃度パラメータであることを特徴とする請求項１５に記載の印刷制御方法。
【請求項１７】
請求項９乃至１６の何れか１項に記載の印刷制御方法をコンピュータに実行させることを特徴とするコンピュータプログラム。
【手続補正２】
【補正対象書類名】明細書
【補正対象項目名】０００１
【補正方法】変更
【補正の内容】
【０００１】
本発明は、印刷制御装置、印刷制御方法およびコンピュータプログラムに関し、詳しくは、パーソナルコンピュータ等の情報処理装置とプリンタなどの印刷装置を有して構成されるシステムにおいて、複写物の使用などを牽制する地紋画像を含んだ画像をプリントする際の処理に関するものである。
【手続補正３】
【補正対象書類名】明細書
【補正対象項目名】００２０
【補正方法】変更
【補正の内容】
【００２０】
本発明の第１の態様によれば、本発明に係る印刷制御装置は、印刷データを生成し、当該生成された印刷データを印刷装置に対して送信するホストコンピュータとしての印刷制御装置であって、印刷モードが白黒モードであるか判定する第１の判定手段と、地紋画像の色指定がカラー指定であるか判定する第２の判定手段と、前記第１の判定手段で印刷モードが白黒モードであると判定され、かつ、前記第２の判定手段で地紋画像の色指定がカラー指定であると判定された場合に、前記カラー指定された地紋画像に基づいて、白黒二値の地紋画像を生成する地紋画像生成手段とを備える。
本発明の第２の態様によれば、本発明に係る印刷制御方法は、印刷データを生成し、当該生成された印刷データを印刷装置に対して送信するホストコンピュータが実行する印刷制御方法であって、前記ホストコンピュータの第１の判定手段において印刷モードが白黒モードであるか判定する第１の判定ステップと、前記ホストコンピュータの第２の判定手段において地紋画像の色指定がカラー指定であるか判定する第２の判定ステップと、前記第１の判定ステップで印刷モードが白黒モードであると判定され、かつ、前記第２の判定ステップで地紋画像の色指定がカラー指定であると判定された場合に、前記カラー指定された地紋画像に基づいて、白黒二値の地紋画像を生成する地紋画像生成ステップとを有する。
本発明の第３の態様によれば、本発明に係るコンピュータプログラムは、上記印刷制御方法をコンピュータに実行させる。